(57)【要約】      （修正有）【課題】階上、階下の冷気、暖気を階段で、あるいは外気を窓などで遮断するも、簡単にたくし上げて開放し、通り抜けや外気導入を可能にするカーテン装置を提供する。【解決手段】遮光用、断熱用のカーテンを面ファスナー２によって階段あるいは窓に取り付ける。カーテンは、取り付けた側の上部に左上側紐挿通部材４ａ、右上側紐挿通部材４ｂを、且つ下側に左下側紐固定部材４ｃ、右下側紐固定部材４ｄをそれぞれ装備する。左下側紐固定部材４ｃに操作紐５の一端を固定し、右上側紐挿通部材４ｂを介して左上側紐挿通部材４ａに操作紐の他端側を挿通するか、または右下側紐固定部材４ｄに操作紐の一端を固定し、左上側紐挿通部材４ａを介して右上側紐挿通部材４ｂに操作紐の他端側を挿通するかして牽引操作自在とし、カーテンの裾部分をたくし上げ可能にする。【選択図】図２
0003188881.tif 000002
【実用新案登録請求の範囲】
【請求項１】
階段あるいは窓などに設置可能にしたカーテン装置において、カーテンは、設置面に取り付けた側の正面視左右側の上部に左上側紐挿通部材、右上側紐挿通部材が、且つ下側の正面視左右側に左下側紐固定部材、右下側紐固定部材がそれぞれ装備されてなり、左下側紐固定部材に操作紐の一端が固定され、右上側紐挿通部材を介して左上側紐挿通部材に操作紐の他端側が挿通されるか、または右下側紐固定部材に操作紐の一端が固定され、左上側紐挿通部材を介して右上側紐挿通部材に操作紐の他端側が挿通されるか、または左下側紐固定部材に操作紐の一端が固定され、右上側紐挿通部材に操作紐の他端側が挿通されるか、または右下側紐固定部材に操作紐の一端が固定され、左上側紐挿通部材に操作紐の他端側が挿通されるかして、操作紐の他端によって牽引操作自在としてカーテンの裾部をたくし上げ可能にしたことを特徴とするカーテン装置。
【請求項２】
カーテンは、その上縁部が階段の壁面あるいは窓の上部面に付設された面ファスナーによって着脱自在に固定されてなる請求項１記載のカーテン装置。
【請求項３】
カーテンは、その上縁部が階段あるいは窓の左右側壁間に突っ張り横架された伸縮自在バーに吊具を介して吊持されてなる請求項１記載のカーテン装置。
【請求項４】
階段あるいは窓などにカーテンを設置可能にすべく当該カーテンの上縁部が階段の壁面あるいは窓の上部面に付設された面ファスナーによって着脱自在に取り付けられ、カーテンは、面ファスナーによって取り付けられている側の正面視左右側の上部に左上側紐挿通部材、右上側紐挿通部材がそれぞれ装備され且つ下側の正面視左右側に左下側紐固定部材、右下側紐固定部材がそれぞれ装備されてなり、左下側紐固定部材に操作紐の一端が固定され、右上側紐挿通部材を介して左上側紐挿通部材に操作紐の他端側が挿通されるか、または右下側紐固定部材に操作紐の一端が固定され、左上側紐挿通部材を介して右上側紐挿通部材に操作紐の他端側が挿通されるか、または左下側紐固定部材に操作紐の一端が固定され、右上側紐挿通部材に操作紐の他端側が挿通されるか、または右下側紐固定部材に操作紐の一端が固定され、左上側紐挿通部材に操作紐の他端側が挿通されるかして、操作紐の他端によって牽引操作自在としてカーテンの裾部をたくし上げ可能にしたことを特徴とするカーテン装置。
【請求項５】
階段あるいは窓などにカーテンを設置可能にすべく当該カーテンの上縁部が階段あるいは窓などの左右側壁間に突っ張り横架された伸縮自在バーに吊具を介して吊持され、カーテンは、伸縮自在バーに吊具を介して吊持されている側の正面視左右側の上部に左上側紐挿通部材、右上側紐挿通部材がそれぞれ装備され且つ下側の正面視左右側に左下側紐固定部材、右下側紐固定部材がそれぞれ装備されてなり、左下側紐固定部材に操作紐の一端が固定され、右上側紐挿通部材に操作紐の他端側が挿通されるか、または右下側紐固定部材に操作紐の一端が固定され、左上側紐挿通部材に操作紐の他端側が挿通されるか、または左下側紐固定部材に操作紐の一端が固定され、右上側紐挿通部材に操作紐の他端側が挿通されるか、または右下側紐固定部材に操作紐の一端が固定され、左上側紐挿通部材に操作紐の他端側が挿通されるかして、操作紐の他端によって牽引操作自在としてカーテンの裾部をたくし上げ可能にしたことを特徴とするカーテン装置。
【考案の詳細な説明】
【技術分野】
【０００１】
本考案は、例えば複数階構造の建築物の階段に取り付けることで、各階で設置した冷暖房装置によって必要とする各階で冷暖房を行った際の冷暖房効果を上げることができるように階段部位で仕切るように断熱でき、しかも階段で仕切ってあっても昇降に際し、簡単にたくし上げて円滑に通り抜けられるようにし、また窓などで遮光用、断熱用などで取り付けられているとき、外気を取り入れる場合もに簡単にたくし上げて開放できるようにしたカーテン装置に関する。
【背景技術】
【０００２】
近時、一般家屋では家屋内での冷暖房・空調等のために各種の冷暖房装置が設置されることが多い。ただ、設置される場合、２階建・３階建等の複数階構造であると、各階で設置した冷暖房装置によって必要とする各階毎で冷暖房を行っても、階下空間と階上空間との間を昇降するための階段が冷気または暖気の通り道となり、階下空間または階上空間の冷暖房効果が減殺されてしまうこととなる。このため階段の例えば階下側あるいは階上側にはドアや襖が設けられることで階下空間または階上空間の冷暖房装置による冷気または暖気をシャットアウトすることが提案されている。
【０００３】
しかし、ほとんどの家屋では、このような階段の階下あるいは階上側にドアや襖が設けられていない場合が多いから、上記したように階下空間または階上空間それぞれの冷暖房効果が十分に得られないことに変わりはない。
【０００４】
こうした冷暖房効果の減殺を解消すべく、階段にカーテンを設置しておくこともあるが、そうすると階段の上り下り時にくぐり抜けるときに、当該カーテンを片手で直接に払い除けた姿勢で同時にカーテンの下縁をくぐり抜ける動作となるため、歩行での身体のバランスが採り難いものとなり、階段を安全に上り下りできなくなる虞がある。
【０００５】
また、遮蔽用のカーテンにおいてくぐり抜けを容易にするために、例えば防火防煙シャッターに関する特許文献１に開示されている開閉構造がある。この防火防煙シャッターに採用されている開閉構造は、くぐり抜け時以外には避難口が開放されることがないようにしてある引出し式シャッターカーテンにおいて、天井から引き出されることで吊り下げられている分割された左右シートによって重ね合わせられている重ね合わせ部分を開閉自在な避難口とするのであり、この重ね合わせ部分を開閉することでくぐり抜けられるようにしている。
【先行技術文献】
【特許文献】
【０００６】
【特許文献１】特開平１１−２８０３５６号公報
【考案の概要】
【考案が解決しようとする課題】
【０００７】
ただ、上記した特許文献１による防火防煙シャッターの開閉構造を、階上・階下相互間の遮熱・断熱用のために階段に設置するカーテンに応用するには、カーテン自体を左右に分割すると共に、分割した左右部分の一部を相互に重ね合わせるように形成する必要がある。ただ、このように構成したとしても、重ね合わせた部分を開閉して出入りするには重ね合わせ部分を払いのけなければならないから、面倒であることに変わりはない。
【０００８】
また、外気との熱遮断、遮光などを図るため、窓などの開口部における室内側に一般的には開閉自在にしたカーテンが取り付けられる。ただ、一時的にでも窓部の開放と共にカーテンを僅かにでも開放して外気を室内に取り入れようとする場合、カーテンの下部を僅かにでもたくし上げれば十分であっても、その僅かな隙間を形成するにはカーテン自体の上部で開閉させる必要があるから、面倒でもある。
【０００９】
そこで、本考案は叙上のような従来存した諸事情に鑑み創案されたもので、例えば複数階構造の建築物の各階で設置した冷暖房装置によって必要とする各階で冷暖房を行った際、各階それぞれの冷気または暖気を階段においてシャットアウトすることで階下空間または階上空間それぞれの冷暖房効果を上げることができ、しかも階段の昇降に際し、操作紐の牽引操作によって一部をたくし上げることで歩行での身体のバランスを採りつつ容易に通り抜けられるようにし、また窓などの開口部における外気との遮断などを図るために取り付けられるとき、例えば外気を室内に取り入れる場合などで同じく操作紐の牽引操作によって一部をたくし上げることで僅かにでも簡単に開放でき、しかもその開放状態をそのまま維持できるようにしたカーテン装置を提供することを目的とする。
【課題を解決するための手段】
【００１０】
上述した課題を解決するために、本考案にあっては、階段Ｓあるいは窓Ｗなどに設置可能にしたカーテン装置において、カーテン１は、設置面に取り付けた側の正面視左右側の上部に左上側紐挿通部材４ａ、右上側紐挿通部材４ｂが、且つ下側の正面視左右側に左下側紐固定部材４ｃ、右下側紐固定部材４ｄがそれぞれ装備されてなり、左下側紐固定部材４ｃに操作紐５の一端が固定され、右上側紐挿通部材４ｂを介して左上側紐挿通部材４ａに操作紐５の他端側が挿通されるか、または右下側紐固定部材４ｄに操作紐５の一端が固定され、左上側紐挿通部材４ａを介して右上側紐挿通部材４ｂに操作紐５の他端側が挿通されるか、または左下側紐固定部材４ｃに操作紐５の一端が固定され、右上側紐挿通部材４ｂに操作紐５の他端側が挿通されるか、または右下側紐固定部材４ｄに操作紐５の一端が固定され、左上側紐挿通部材４ａに操作紐５の他端側が挿通されるかして、操作紐５の他端によって牽引操作自在としてカーテン１の裾部をたくし上げ可能にしたことを特徴とする。
カーテン１は、その上縁部が階段Ｓの壁面３あるいは窓Ｗの上部面に付設された面ファスナー２によって着脱自在に固定されてなるものとすることができ、また面ファスナー２によって取り付けられたカーテン１に、同様に左上側紐挿通部材４ａ、右上側紐挿通部材４ｂ、左下側紐固定部材４ｃ、右下側紐固定部材４ｄがそれぞれ装備され、操作紐５が固定、挿通されることで構成することができる。
カーテン１は、その上縁部が階段Ｓあるいは窓Ｗの左右側壁１３ａ，１３ｂ間に突っ張り横架された伸縮自在バー１１に吊具１２を介して吊持されてなるものとすることができ、また伸縮自在バー１１によって吊持されたカーテン１に、同様に左上側紐挿通部材４ａ、右上側紐挿通部材４ｂ、左下側紐固定部材４ｃ、右下側紐固定部材４ｄがそれぞれ装備され、操作紐５が固定、挿通されることで構成することができる。
【００１１】
以上のように構成された本考案に係るカーテン装置にあって、階段Ｓに設置されたカーテン１は、階下空間または階上空間に設置された冷暖房装置によって得られる各階毎の冷気または暖気を階段Ｓにおいてシャットアウトさせ、あるいは窓Ｗなどに設置されたカーテン１は、窓Ｗなどを経た室内外を遮断させ、室外からの遮光、また室外などと断熱させる。
操作紐５は、これを階段の上り下り時あるいは室外と通気させるときなどに牽引操作することで、当該操作紐５の一端が固定されている左下側紐固定部材４ｃ部位によってカーテン１の左下側の裾部を、あるいは右下側紐固定部材４ｄ部位によってカーテン１の右下側の裾部をたくし上げ、上り下り時に簡単にくぐり抜けさせ、あるいは外気などを室内に取り込ませる。
【考案の効果】
【００１２】
本考案によれば、例えば２階建、３階建等の複数階構造の一般家屋等の建築物の各階で設置した冷暖房装置によって必要とする各階で冷暖房を行った際の冷気または暖気を階段Ｓにおいてシャットアウトすることができ、それによって階下空間または階上空間それぞれの冷暖房効果を上げることができる。しかも階段Ｓの昇降に際し、上り下り時の操作紐５の牽引操作によってカーテン１の下側一部をたくし上げることでくぐり抜けられ、歩行での身体のバランスを採りつつ容易に通り抜けられるものとなる。また、窓Ｗなどに設置されることで、従来同様に室外と遮光し、家屋等の内外を断熱させるも、操作紐５の牽引操作によって僅かにでもカーテン１を開放維持し、外気を導入させて室内外を換気することができる。
【００１３】
すなわち、これは本考案が、階段Ｓあるいは窓Ｗなどに設置可能にしたカーテン１が、設置面に取り付けた側の正面視左右側に左上側紐挿通部材４ａ、右上側紐挿通部材４ｂが、且つ下側の正面視左右側に左下側紐固定部材４ｃ、右下側紐固定部材４ｄがそれぞれ装備されてなり、左下側紐固定部材４ｃに操作紐５の一端が固定され、右上側紐挿通部材４ｂを介して左上側紐挿通部材４ａに操作紐５の他端側が挿通されるか、または右下側紐固定部材４ｄに操作紐５の一端が固定され、左上側紐挿通部材４ａを介して右上側紐挿通部材４ｂに操作紐５の他端側が挿通されるか、または左下側紐固定部材４ｃに操作紐５の一端が固定され、右上側紐挿通部材４ｂに操作紐５の他端側が挿通されるか、または右下側紐固定部材４ｄに操作紐５の一端が固定され、左上側紐挿通部材４ａに操作紐５の他端側が挿通されるかして、操作紐５の他端によって牽引操作自在としてカーテン１の裾部をたくし上げ可能にしたからである。
【００１４】
これにより、例えば２階建、３階建等の複数階構造の建築物の各階で設置した冷暖房装置によって必要とする各階で冷暖房を行った際の冷気または暖気を階段Ｓにおいてシャットアウトでき、階下空間、階上空間それぞれの冷暖房効果を確実に向上できると同時に、階段Ｓの昇降に際し、操作紐５の牽引操作によってカーテン１の裾部の一部をたくし上げることで上り下りするときの歩行時での身体のバランスを簡単に採りながら、容易に通り抜けられるものとなる。また、一般家屋、マンションなどの集合住宅などにおける開口部である窓Ｗにおいての室内外を遮光、断熱して室内側の環境を維持するも、窓Ｗなどの開放と共にカーテン１の下部などを僅かであってもたくし上げることができ、室内外を換気させ、そのたくし上げ状態のままでもそれを維持することができる。
【００１５】
カーテン１は、その上縁部が階段Ｓの壁面３あるいは窓Ｗに付設された面ファスナー２によって着脱自在に固定されることで、階段Ｓにおける遮光・断熱用のカーテン１の据付または撤去が容易に行えると共に、面ファスナー２によるカーテン１の据え付け時の密着性によって遮熱・断熱効果を一層有効にさせる。また、面ファスナー２によって窓Ｗなどに簡単に取り付けられるから、種々な模様、色彩、更には生地素材などが種々に異なるカーテン１を揃えておくことで、季節、温度その他の環境変化に対応して、それぞれの雰囲気・環境に応じたカーテン１を選択し、簡単に付け替えられるのであり、その変化などを楽しむこともできる。
【００１６】
カーテン１は、その上縁部が階段Ｓあるいは窓Ｗの左右側壁１３ａ，１３ｂ間に突っ張り横架された伸縮自在バー１１に吊具１２を介して吊持されることで、例えば左右で対向する壁面３が存在しない場合における階段Ｓでの設置、あるいは窓Ｗにおける設置において、左右側壁１３ａ，１３ｂがあれば遮光・遮熱・断熱用の各種のカーテン１の据付または撤去が容易に行える。
【００１７】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１８】
【図１】本考案の実施の形態における使用状態の一例を示す斜視参考図である。
【図２】同じくカーテン装置の左下側一部を操作紐の牽引操作によってたくし上げて通り抜ける状態の一例を示す斜視図である。
【図３】同じくカーテン装置によって階段部分を閉塞しているときを示す一部切欠の正面図である。
【図４】本考案のカーテン装置の他の実施の形態における正面図である。
【図５】窓などに取り付けた場合のカーテン装置の他の実施の形態における一部切欠の正面図である。
【考案を実施するための形態】
【００１９】
以下、図面を参照して本考案の実施の形態を詳細に説明すると、図において示される符号１は、本考案に係るカーテン装置を構成する例えば遮熱・断熱処理が施された布帛、または通気性を有しないシート状のビニール樹脂、例えばＰＰ等の柔軟性素材を利用することで形成された遮光用、断熱用のカーテンであり、このカーテン１自体は、階段Ｓ、窓Ｗなどに取り付けられる。
【００２０】
例えば階上、階下相互間の断熱のために取り付けられる場合には、２階建、３階建等の複数階構造である建築物の各階相互間を連絡する階段Ｓに設置され、階上空間、階下空間それぞれで設置した冷暖房装置によって必要とされる各階で冷暖房を行った際の冷気または暖気を階段Ｓにおいてシャットアウトさせるものである。具体的には、例えば２階建の一般家屋の場合には、階下空間または階上空間における部屋などに設置された冷暖房装置によって、階下空間あるい階上空間等が冷暖房されるとき、これによって得られた冷気または暖気を、階下空間と階上空間とを通じる階段Ｓにおいてシャットアウトさせ、階下あるいは階上の空間それぞれでの冷暖房効果の効率化を図ったものである。
【００２１】
なお、図示例にあってのカーテン１自体は、階段Ｓの階下に設置したものであるも、もとより、このカーテン１自体は、必要があれば安全性を考慮した上で階段Ｓの中間や階上に設置されることもある。
【００２２】
また、このカーテン１は、図１乃至図３に示すように、階下空間から階上空間に通じる階段Ｓの階下における例えば階段室の天井などの壁面３に付設された面ファスナー２によって取付けられる。また、カーテン１における面ファスナー２によって取り付けられている側の正面視左側の上部には左上側紐挿通部材４ａが装備され、正面視右側の上部には右上側紐挿通部材４ｂが装備されている。更に下側の正面視左側には左下側紐固定部材４ｃが装備され、下側の正面視右側には右下側紐固定部材４ｄが装備されている。これら各挿通部材４ａ，４ｂ、各固定部材４ｃ，４ｄは例えば金属製または合成樹脂製等のリング状に形成することで、後述する操作紐５の固定や挿通が容易となるようにしている。
【００２３】
これらの挿通部材４ａ，４ｂ、固定部材４ｃ，４ｄには、カーテン１の下部をたくし上げ操作する操作紐が５が固定挿通されている。例えば図例のように、左下側紐固定部材４ｃには操作紐５の一端が固定され、且つ操作紐５の他端側が右上側紐挿通部材４ｂを介して折り返されるようにして左上側紐挿通部材４ａに挿通され、当該左上側紐挿通部材４ａから下方に垂下されている。そして、操作紐５の他端部にはリング状の取っ手６が取付けられ、この取っ手６を引っ張ることにより操作紐５によって左下側紐固定部材４ｃが牽引され、これと共にカーテン１の左下側の裾部がたくし上げられるものとしてある。
【００２４】
なお、操作紐５の引き出し位置は任意に選択することができ、例えば右下側紐固定部材４ｄに操作紐５の一端が固定され、且つ操作紐５の他端側が左上側紐挿通部材４ａを介して折り返されるように右上側紐挿通部材４ｂに通され、当該右上側紐挿通部材４ｂから下方に垂下されるようにしても良い。この場合、取っ手６を引っ張ることにより操作紐５によって右下側紐固定部材４ｄが牽引され、これと共にカーテン１の右下側の裾部がたくし上げられるものとなる。
【００２５】
次に、以上のように構成された形態についての使用の一例について説明すると、カーテン１は、階段Ｓの階下における壁面３に例えば面ファスナー２によって取付けられ、家屋等の建築物の階下空間または階上空間の少なくともいずれか一方に設置された冷暖房装置による冷気または暖気を、当該両空間を通じる階段Ｓにおいてシャットアウトさせる。階段Ｓの昇降に際しては、取っ手６を引っ張ることによりカーテン１の例えば左下側がたくし上げられ、これによって歩行での身体のバランスを採りつつ容易に通り抜けられるものとなる。
【００２６】
図４は、カーテン装置の他の実施の形態を示すものであり、上記した実施形態と同じ構成部分には同じ符号を附すことでその詳細を説明する。
【００２７】
すなわち、本実施の形態においては、階段Ｓの階下において天井などの壁面３が無いことで上記した面ファスナー２によってカーテン１が取付けられない場合、例えば階段室における左右側壁１３ａ，１３ｂ間に設置する場合等に、コイルスプリングを内蔵した公知の構成による伸縮自在バー１１を使用することで、カーテン１を取り付けた場合である。すなわち、階段室の左右側壁１３ａ，１３ｂ間に差し渡すよう伸縮自在バー１１が突っ張り状となって固定保持され、この伸縮自在バー１１に所謂カーテンフックと称する複数の吊具１２を介してカーテン１が吊持される。操作紐５は、例えば左下側紐固定部材４ｃに操作紐５の一端が固定され、右上側紐挿通部材４ｂに操作紐５の他端側が挿通されて下方に牽引操作自在となって垂下されており、操作紐５の他端を牽引することでカーテン１の左側下部がたくし上げられるようにしている。階段Ｓの昇降に際しては、取っ手６を引っ張ることによりカーテン１の左下側がたくし上げられるのである。
【００２８】
なお、先の実施の形態にて説明したように左右で反転して操作紐５を挿通、固定させても良いのは勿論であり、操作紐５の牽引操作によるカーテン１の裾部のたくし上げが左右で逆になるようにするには、図示を省略したが、この場合の操作紐５は、右下側紐固定部材４ｄに操作紐５の一端が固定され、左上側紐挿通部材４ａに操作紐５の他端側が挿通されて下方に牽引操作自在となって垂下されることで、カーテン１の右側下部がたくし上げられるようになる。
【００２９】
図５には、窓などの家屋、マンション等の開口部にカーテン１を取り付けたときの他の実施の形態が示されており、窓における窓枠上部に例えば面ファスナー２によって取り付けた場合である。この場合でも、上記の実施の形態におけると同様にカーテン１には、取り付けた側の正面視左右側の上部に左上側紐挿通部材４ａ、右上側紐挿通部材４ｂが、且つ下側の正面視左右側に左下側紐固定部材４ｃ、右下側紐固定部材４ｄがそれぞれ装備されており、左下側紐固定部材４ｃに操作紐５の一端が固定され、右上側紐挿通部材４ｂを介して左上側紐挿通部材４ａに操作紐５の他端側が挿通されるか、または右下側紐固定部材４ｄに操作紐５の一端が固定され、左上側紐挿通部材４ａを介して右上側紐挿通部材４ｂに操作紐５の他端側が挿通されるか、または左下側紐固定部材４ｃに操作紐５の一端が固定され、右上側紐挿通部材４ｂに操作紐５の他端側が挿通されるか、または右下側紐固定部材４ｄに操作紐５の一端が固定され、左上側紐挿通部材４ａに操作紐５の他端側が挿通されるかして、操作紐５の他端によって牽引操作自在としてカーテン１の裾部をたくし上げ可能にしてある。
【００３０】
こうすることで、窓Ｗの開放と共に操作紐５の牽引操作によってカーテン１の裾部分の左右側を僅かにでもたくし上げることができ、例えば外気の取り込み、部屋内外での換気などを図ることができ、また牽引した操作紐５などを適宜箇所に固定しておくことでたくし上げ状態をそのまま維持させることができる。
【００３１】
なお、前記操作紐５を自動復帰できるようにするために、例えば右上側紐挿通部材４ｂと左下側紐固定部材４ｃとの間に挟まれた操作紐５部分に対し圧縮伸長自在となる不図示のコイルバネ等を巻装させ、当該コイルバネの一端を右上側紐挿通部材４ｂに係止させ且つコイルバネ７の他端を左下側紐固定部材４ｃに係止させたものとしても良い。このコイルバネは、左上側紐挿通部材４ａ、右上側紐挿通部材４ｂ相互間に巻装しても良いのである。
【符号の説明】
【００３２】
Ｓ…階段                                Ｗ…窓
１…カーテン                            ２…面ファスナー
３…壁面                                ４ａ…左上側紐挿通部材
４ｂ…右上側紐挿通部材                  ４ｃ…左下側紐固定部材
４ｄ…右下側紐固定部材                  ５…操作紐
６…取っ手
１１…伸縮自在バー                      １２…吊具
１３ａ，１３ｂ…左右側壁
【図１】
0003188881.tif 000003
【図２】
0003188881.tif 000004
【図３】
0003188881.tif 000005
【図４】
0003188881.tif 000006
【図５】
0003188881.tif 000007